(57)【要約】【課題】半身浴を行うことによって健康的な入浴を行うことができるようにした椅子の強度を向上させるとともに、気泡発生装置からの気泡が散乱しないような浴槽用椅子を提供する。【解決手段】ポリプロピレン焼結樹脂材の多孔質体から成る複数の散気管で構成した気泡発生手段が設置された木製の椅子本体であって、この椅子本体の左脚板と右脚板の上下面を互いに連結する上下枠板を前記脚板の前部と後部に設け、前後部の上枠板間には複数枚のスノコ板を適当間隔に架設して座部を形成するとともに前後部の下枠板の間で、前記左右脚板の下面同士を連結した支持枠板の上面に金属製の底板を着脱可能に固定し、この底板上に前記気泡発生手段を載置した浴槽用椅子である。【選択図】図３
2011229873.tif 000002
【特許請求の範囲】
【請求項１】
ポリプロピレン焼結樹脂材の多孔質体から成る複数の散気管で備えた気泡発生手段が設置された木製の椅子本体であって、
適宜間隔をおいて配置する複数の縦板と、この縦板の前後を互いに連結する横板とで構成されたスノコよりなる座部を前記椅子本体の左脚板と右脚板の上面に固定し、
前記左右脚板の下面の前後に前記左右脚板同士を連結する主枠板を設けるとともに、前後の前記主枠板の中間に前記左右脚板の下面同士を連結する補助枠板を設け、前記主枠板の上面に金属製の底板を固定し、前記気泡発生手段を前記底板の上方に着脱可能に設置したことを特徴とする浴槽用椅子。
【請求項２】
前記主枠板の下面に設置される複数の支持台より突出するボルトを前記主枠板の取付穴を貫通させて、前記底板に形成したネジ穴に螺合することにより前記底板を固定したこと特徴とする請求項１記載の浴槽用椅子。
【請求項３】
前記底板より上方に前記ボルトの先端を突出させ、この先端に前記気泡発生手段の前記散気管の前後端に設けた前後案内部材の少なくとも後案内部材の下部が当接するようにして、前記気泡発生手段を位置決めしたことを特徴とする請求項１記載の浴槽用椅子。
【発明の詳細な説明】
【技術分野】
【０００１】  本発明は、浴槽内で腰かけて使用する椅子に関するものである。
【背景技術】
【０００２】  通常人は、浴槽に十分張られた湯に全身をつけて入浴するが、高血圧の人や疲労度の高い人にとってそのような入浴法は不適当であったり効果を半減したりしていた。そこで、浴槽内に気泡発生装置を備えた椅子を設置し、湯を浴槽の半分位まで入れておき、半身浴を行うことによって健康的な入浴ができるようにしたが、気泡発生装置の取り付けのために椅子の強度が低下したり、気泡発生装置からの気泡が散乱して体へ当たることが少なく効果が減少することがある。
【先行技術文献】
【特許文献】
【０００３】
【特許文献１】特開２００１−１７０１２９号公報
【発明の概要】
【発明が解決しようとする課題】
【０００４】  そこで、本発明は湯を浴槽の半分位まで入れておき、半身浴を行うことによって健康的な入浴を行うことができるようにした椅子の強度を向上させるとともに、気泡発生装置からの気泡が散乱しないような椅子を提供することを目的とする。
【課題を解決するための手段】
【０００５】  前記課題を解決し、かつ目的を達成するために、この発明は、以下のように構成した。【０００６】  請求項１に記載の発明は、ポリプロピレン焼結樹脂材の多孔質体から成る複数の散気管で備えた気泡発生手段が設置された木製の椅子本体であって、適宜間隔をおいて配置する複数の縦板と、この縦板の前後を互いに連結する横板とで構成されたスノコよりなる座部を前記椅子本体の左脚板と右脚板の上面に固定し、前記左右脚板の下面の前後に前記左右脚板同士を連結する主枠板を設けるとともに、前後の前記主枠板の中間に前記左右脚板の下面同士を連結する補助枠板を設け、前記主枠板の上面に金属製の底板を固定し、前記気泡発生手段を前記底板の上方に着脱可能に設置したことを特徴とする浴槽用椅子である。【０００７】  請求項２に記載の発明は、前記主枠板の下面に設置される複数のプラスチック製の支持台より突出するボルトを前記主枠板の取付穴を貫通させて、前記底板に形成したネジ穴に螺合することにより前記底板を固定したこと特徴とする請求項１記載の浴槽用椅子である。【０００８】  請求項３に記載の発明は、前記底板より上方に前記ボルトの先端を突出させ、この先端に前記気泡発生手段の前記散気管の前後端に設けた前後案内部材の少なくとも後案内部材の下部が当接するようにして、前記気泡発生手段を位置決めしたことを特徴とする請求項１記載の浴槽用椅子である。
【発明の効果】
【０００９】  脱衣室の適所に設置した送風機に接続された気泡発生手段の左右と下部は椅子本体の左右脚板と金属製の底板により囲まれるから、多孔質材の散気管から発生する微細気泡は椅子本体の左右脚板及び底板に遮られ周囲に散乱することがなく、微細気泡は座部の複数枚のスノコの隙間をスムーズにかつ均等に上昇し、下半身に良好な刺激を与えるようになる。【００１０】  また、椅子本体の左右脚板の下面の前後を主枠板で連結し、更に前後主枠板の中間を補助枠板で連結したので、左右脚板のみに比べて強度が向上することになり、しかも気泡発生手段が設置される木製の椅子本体の底板を金属製にしたことにより、浴槽内での椅子本体の浮き上がりがなく、椅子本体の設置が安定し、入浴している際に入浴者の姿勢が傾倒することがない。【００１１】  しかも、主枠板の下面に複数の成樹脂性の支持台を取付けて木製の椅子本体を浴槽に置くので、木製の椅子本体が水分の吸収で膨張しても、常に椅子本体を浴槽に水平に設置でき、また浴槽の底面を傷つけることが少ない。【００１２】  さらに、前記底板より上方に前記ボルトの先端を突出させ、この先端に前記気泡発生手段の前記散気管の前後端に設けた前後案内部材の少なくとも後案内部材の下部が当接するようにして気泡発生手段を位置決めしたので、椅子本体から容易に滑り出ることがなく、底板上へ気泡発生手段を安定して設置できる。
【図面の簡単な説明】
【００１３】
【図１】使用時の浴槽の状態図
【図２】椅子本体の斜視図
【図３】椅子本体の縦断側面図
【図４】椅子本体の背面図
【図５】椅子本体の支持台の断面図
【図６】気泡発生手段の平面図
【発明を実施するための形態】
【００１４】  １は浴室ないに持ち込み浴槽２に内に配置する木製の椅子本体で、人は浴槽２の２／３位に満たした湯の中に配置したこの椅子本体１に腰をかければよい。
【００１５】  前記椅子本体１の座部８は、適宜間隔をおいて配置される複数の縦板６と、この縦板６の前後を互いに連結する横板５で構成されたスノコ７からなる。前記座部８は左脚板３と右脚板４の上面に固定される。なお、前記縦板６と横板５は木製ダボで止められる。
【００１６】  また、前記左脚部３と前記右脚部４の下面の前部と後部を主枠板９により互いに連結するとともに、前後部の主枠板９の中間で前記左右脚板３、４の下面を補助枠板１０で互いに連結する。なお、前記左右脚板３、４の下面と前後主枠板９および前記補助枠板１０は木製ダボで止められる。
【００１７】  前記スノコ７の後部の前記横板５と後部の前記主枠板９間を背板１１により連結するとともに、前記主枠板９の上面にステンレス等の金属製の底板１２を固定する。前記主枠板９の下面には４本のプラスチック製の支持台１３が設置され、この支持台１３から取付ボルト１４が突出させて、前記主枠板９、９に設けた貫通穴１５に挿入する。更に前記取付ボルト１４は前記底板１２にタップにより形成されたネジ穴１６に螺合し、前記取付ボルト１４の先端１４１が底板１２より上方に突出する。なお、前記背板１１とスノコ７の後部の横板５および後部の主枠板９は木製ダボで止められる。
【００１８】  １７は前記底板１２と座部８との間に設置する気泡発生手段で、この気泡発生手段１７はポリプロピレン焼結樹脂材で成形した多孔質体から成る複数の散気管１８を備え、この散気管１８の後端は後案内部材１９で閉塞される。
【００１９】  前記散気管１８の前端には数個の送気口２１および送気口２１のそれぞれに通じる流通路２２が形成された前案内部材２０を設け、この前案内部材２０には前記流通路２２に連通する空気導入管２３が取り付けられる。
【００２０】  前記後案内部材１９と前記前案内部材２０との左右両端には締付ボルト２４が架設され、この締付ボルト２４の端部にナット２５が螺着する。前記散気管１８の前後端は前案内部材１６および後案内部材１５に形成した凹部２６に嵌合される。
【００２１】  前記底板１２の上方に突出する取付ボルト１４の先端１４１に前記気泡発生手段１７の前記後案内部材１９の下部が当接して、前記気泡発生手段１７を前記底板１２上に位置決めして前記椅子本体１から前方に滑り出ないようにする。なお、前記気泡発生手段１３の前記前案内部材２０の下部を底板１２の上方に突出する取付ボルト１４の先端１４１に当接させて、前記気泡発生手段１７が後方へ移動しないように位置決めしてもよいし、前記前案内部材２０の下部と前記後案内部材１９の下部のそれぞれを取付ボルト１４の先端１４１に当接させてもよい。
【００２２】  前記気泡発生手段１７の前記散気管１８内に数個のマグネットボール３２を移動可能に収納することにより、前記散気管１８内を通過するお湯が磁化され、滑らかのお湯となりすべすべした肌になる。
【００２３】  前記浴槽２に隣接する脱衣室には、タイマー３１によって作動時間が制御される送風機２７が設置され、この送風機２７より延長するホース２８は二股に分岐して、一方は前記浴槽２内の前記気泡発生手段１７に、他方は脱衣室の洗顔具３０内の気泡発生手段（図示せず。）に接続される。
【００２４】  前記ホース２８の分岐部分には三方弁２９が設けられ、この三方弁２９の操作により前記送風機２７から浴槽２内の前記気泡発生手段１７に向かう風量と、前記洗顔具３０の気泡発生手段に向かう風量とが調整される。
なお、前記空気導入管２３と前記ホース２２８の間には逆止弁（図示せず）を介在してもよい。
【００２５】  前記送風機２７のホース２８を更に分岐して生ゴミ処理装置に備える気泡発生手段の散気管に接続することで、前記送風機２７の有効活用を計ることもできる。
【産業上の利用可能性】
【００２６】  本発明は、何人も半身浴を確実かつ簡単に行うことができ、高血圧など特に身体に何らかの障害がある人にとっては良効果をあげることができるものとなり、また微細気泡によって発生する超音波イオン効果により温熱作用が働き、良好な洗浄効果もあり、健康維持の増進を実現することができる本発明浴槽用椅子の取扱いはきわめて簡単かつ利便である。
【符号の説明】
【００２７】１        椅子本体
２        浴槽
３        左脚部
４        右脚部
５        横板
６        縦板
７        スノコ
８        座部
９        主枠板
１０      補助枠板
１１      背板
１２      底板
１３      支持台
１４      取付ボルト
１４１    取付ボルトの先端
１５      貫通穴
１６      ネジ穴
１７      気泡発生手段
１８      散気管
１９      後案内部材
２０      前案内部材
２１      送気口
２２      流通路
２３      空気導入管
２４      締付ボルト
２５      ナット
２６      凹部
２７      送風機
２８      ホース
２９      三方弁
３０      洗顔具
３１      タイマー
３２      マグネットボール
【図１】
2011229873.tif 000003
【図２】
2011229873.tif 000004
【図３】
2011229873.tif 000005
【図４】
2011229873.tif 000006
【図５】
2011229873.tif 000007
【図６】
2011229873.tif 000008